(57)【要約】      （修正有）【課題】アンカーボルトを直接固定するための逆円錐形穴を確保する事が出来るアンカードリルを提供する。【解決手段】アンカードリルは中空７を有し、上部ドリル４と下部ドリル５に分けられ、上部ドリルは縦十字に４分割され上部には削岩処理が施され、下部は四角にカットされ、板バネ６をセットする位置が確保されている。下部ドリルの上部も四角くカットされ、板バネの位置が確保され、下部には駆動軸突起をセットする穴８が設けられている。上部ドリルの下部と下部ドリルの上部の４箇所が板バネで接合されている。上部ドリルの上部の穴にクサビ１１を差し、ドリル全体を押し込むと、板バネとクサビの作用により、ドリル上部はロート状に開きながら補助穴を削る。既定の深さまで来たら、下部ドリルの穴からクサビ棒を入れ、クサビを押し上げながらドリル全体を抜くことで逆円錐形穴を確保する。【選択図】図１１
0003200175.tif 000002
【実用新案登録請求の範囲】
【請求項１】
板バネとクサビの作用を利用したアンカードリルは、中空を有し、ドリルは、上部と下部とに分けられ、上部ドリルは、縦十字に四分割され、上部には、コンクリートを削る削岩処理が施され、対する下部は四角にカットされ、板バネを取り付ける位置を確保し、中空を有する下部ドリルも上部を四角くカットし、板バネの位置が確保され、対する下部は駆動軸突起を差し込む四角の穴を設け、四角にカットされた、上部ドリルの下部と、下部ドリルの上部各４箇所を板バネで接合し、下部ドリルの駆動穴を駆動軸突起にセットし、上部ドリルの上部の穴にクサビを差し、直管の補助穴に差し込み、駆動軸のスイッチを入れ、ドリルが駆動を始めたら注水をしながら、ドリル全体をゆっくり押し込むと、板バネとクサビの作用により、ドリル上部はロート状に開きながら、補助穴を削り既定の深さまで来たら、スイッチを切り、駆動軸を抜き、下部ドリルの穴からクサビ棒を入れ、クサビを押し上げながらドリル全体を抜くことで逆円錐形穴を確保する事が特長のアンカードリルである。
【考案の詳細な説明】
【技術分野】
【０００１】  本考案はアンカーボルトを埋め込む逆円錐形穴を確保するためのアンカードリルに関する。
【背景の技術】
【０００２】  従来のあと付けアンカーボルトは直管の穴に真直な鉄芯（以下は直芯と書く）を接着剤で間接的に固定する技術で、直接固定する技術ではない。そのため強力な力が加えられると、ボルトは抜けてしまう欠点があった。それを解決すべく、構造的直接固定の実用新案３１８８８４８号が開発され登録された。
しかし、この技術は、さき付けアンカーの技術で新築工事では確かな構造的固定の技術ではあるが、耐震の改修工事など、すでにあるコンクリート構造物のあと付けアンカーには使用することができない。その理由は逆円錐形穴を確保する技術がないためで、今も直管と直芯を接着剤で間接的に固定する技術が使用されている。この、あと付けアンカーは、あと施工アンカー協会として協会組織も存在する。
【考案が解決しようとする課題】
【０００３】  従来の様な、あと付けアンカーボルトの工法でありながら、さき付けアンカー登録３１８８８４８号と同様に耐震改修工事でも使用する事を可能にする逆円錐形穴を確保する事と、その穴を確保する事が出来るアンカードリルの開発が課題である。。
【課題を解決しようとする手段】
【０００４】  すでに存在するコンクリート構造物にアンカーボルトを構造的に直接固定させるためには、逆円錐形の穴１を確保するアンカードリルを開発することである。
【０００５】  そこで、そのアンカードリルの組立を説明すると次ぎの通りである。
アンカードリルは、上部４と、下部５とに分けられ、中空を有する上部ドリル４は、縦十字に４分割され、上部Ａには削岩処理が施されいて、対する下部Ｂは四角にカットされ板バネ６を取り付ける位置が確保されている。中空を有する下部ドリル５の上部Ｃも四角くカットされ板バネ６の位置を確保。対する下部Ｄには、駆動軸の突起１０を差し込む穴８を設ける。その後上部ドリル４の下部Ｂと下部ドリル５の上部Ｃとを板バネ６で其々に接合するこれでアンカードリル全体が完成する。
【０００６】  この下部ドリル５の穴８に駆動軸の突起１０をセットし、上部ドリル４の上部Ａの穴７にクサビ１１を差し、アンカーの直管補助穴２に押し込み駆動軸のスイッチを入れる。ドリルが駆動を始めたら、注水をしながら、ドリル全体をゆっくり押し込むと板バネ６とクサビ１１の作用により、ドリル４はロート状に開きながら図−１の点線の回りを削り、既定の深さで、スイッチを切り駆動軸９を抜く、下部ドリル５の穴７からクサビ棒１２を入れクサビを押し上げながらドリル全体を引き抜く、これで課題の逆円錐形穴１が確保され課題解決に関するアンカードリルである。
【考案の効果】
【０００７】    上記考案のアンカードリルは新築工事のさき付けアンカーボルトと同様に耐震改修工事でも従来とは異なるアンカーボルトの構造的に直接固定が出来る効果のある逆円錐形穴を確保する事の出来るアンカードリルである。
【図面の簡単な説明】
【０００８】
【図１】アンカーボルトを埋め込む逆円錐形穴の断面図
【図２】穴１を開けるための直管補助穴の断面図
【図３】アンカードリルの全体正面図、一部透視図
【図４】上部ドリルの断面図
【図５】下部ドリルの断面図
【図６】上部、下部ドリルをつなぐ板バネの正面図
【図７】駆動軸の正面図とモーターの略図
【図８】ドリル各部位の平面図
【図９】クサビの断面図
【図１０】クサビの斜視図
【図１１】ドリルと逆円錐形穴の関係断面図
【図１２】クサビ棒
【図１３】カセット用補助穴断面図
【図１４】逆円錐形穴カセット断面図
【図１５】カセットの鰐裏平面図と一部透視図
【考案が実施するための形態】
【０００９】  以下図面と符号を基に本考案の実施形態を具体的に説明する。
図１の逆円錐形穴１を確保するためのアンカードリルは中空を有し、上部ドリル４と下部ドリル５に分けられ、上部ドリル４は縦十字に４分割され、上部Ａは削岩処理が施され、対する下部Ｂは四角にカットされ板バネ６の取り付け位置が確保されている、下部ドリル５の上部Ｃも四角くカットされ板バネ６の位置が確保されていて、対する下部Ｄには駆動軸突起１０をセットする穴８が確保されている。その後上部ドリル４の下部Ｂと下部ドリル５の上部Ｃの４箇所を板バネ６で其々に接合する。これでアンカードリル全体が完成で図３はその正面図である。
【００１０】完成した上記ドリル上部Ａの穴７にクサビ１１を差し直管補助穴２に押し込み駆動軸突起１０に下部ドリル５の穴８をセットし駆動軸のスイッチを入れる。ドリルが駆動を始めたら注水をしながらドリル全体をゆっくり押し込むと板バネ６とクサビ１１の作用により上部ドリル４がロート状に開きながら図１の点線の回りが削られ既定の深さまで来たらスイッチを切る。図１１はその関係図である。その後駆動軸を抜き、下部ドリル５の穴７からクサビ棒１２を入れクサビ１１を押し上げながらドリル全体を引き抜く、これが逆円錐形穴１を確保する事の出来るアンカードリルである。
【００１１】    この板バネ６とクサビ１１の組み合せの外に蝶番を利用した４分割ドリルとクサビ１１の組み合せも考えられるが蝶番は複雑で強度が落ちる欠点がある。
この外に図１４で示す通り逆円錐形穴１６をカセット１５にして補助穴１４にセットし、カセットの鍔１７をボルト１８で止める工夫も考えた。しかしアンカーボルトは確かに構造上直接固定は出来るが強力な力が加えられるとカセット自体が抜ける事になる。考案としては不都合であり不採用とした。
【実施例】
【００１２】  既に存在するコンクリート構造物にまず直管の補助穴２を開け、すでに完成した上部ドリル４の上部Ａの穴７にクサビ１１を差し、下部ドリル５の穴８を駆動軸突起１０にセットし、駆動軸のスイッチを入れる。ドリルが駆動を始めたら注水をしながらドリル全体を補助穴２に、ゆっくり押し込むと板バネ６とクサビ１１の作用により上部ドリル４はロート状に開きながら補助穴２の囲りを削り既定の深さまで来たらスイッチを切ると、図１の点線は削られ実線の形状である逆円錐形穴１が確保する事の出来る、アンカードリルで図１１はその関係図である。その後、駆動軸９を抜き下部ドリル５の穴７からクサビ棒１２を入れクサビ１１を押し上げながらドリル全体を抜く、これが逆円錐形穴１を確保する事の出来るアンカードリルである。
【符号の説明】
【００１３】１    逆円錐形穴の断面図
２    １の穴を管保するための直管補助穴の断面図
３    １の穴の点線は補助穴の線、その外側が削られる
４    中空を有し縦十字に４分割された上部ドリル
５    中空を有する下部ドリル
６    板バネ
７    ドリル中空
８    下部ドリルの駆動軸受け穴
９    駆動軸の正面図
１０  駆動軸の突起
１１  クサビ
１２  クサビ棒（クサビを押し上げる鉄棒）
１３  天井壁画
１４  カセット用補助穴
１５  逆円錐形穴カセット
１６  逆円錐形穴
１７  カセットの鍔裏平面図一部透視図
１８  ボルト
Ａ    上部ドリルの上部平面図
Ｂ    上部ドリルの下部平面図
Ｃ    下部ドリルの上部平面図
Ｄ    下部ドリルの下部平面図
Ｆ    駆動軸の平面図
【図１】
0003200175.tif 000003
【図２】
0003200175.tif 000004
【図３】
0003200175.tif 000005
【図４】
0003200175.tif 000006
【図５】
0003200175.tif 000007
【図６】
0003200175.tif 000008
【図７】
0003200175.tif 000009
【図８】
0003200175.tif 000010
【図９】
0003200175.tif 000011
【図１０】
0003200175.tif 000012
【図１１】
0003200175.tif 000013
【図１２】
0003200175.tif 000014
【図１３】
0003200175.tif 000015
【図１４】
0003200175.tif 000016
【図１５】
0003200175.tif 000017